(57)【要約】  【課題】  在来のふるい装置に比べ一層効果的にふるい作業を続行できる着想を加えたふるい機を提供すること。  【解決手段】  （１）ふるい目を持つかご状本体の内部に１枚乃至複数枚の羽根を回転可能に設けたこと。（２）ふるい目を持つかご状本体の外側に外部からの損傷を防ぐ、保護カバーを設け、本体と保護カバーの間から被ふるい物を落下させること。（３）かご状本体を弾性体で支持し、該かご状本体を揺動可能にしたこと。【特許請求の範囲】
【請求項１】
ふるい目を持つかご状本体の内部に１枚乃至複数枚の羽根を回転可能に設けたこと。
【請求項２】
ふるい目を持つかご状本体の外側に外部からの損傷を防ぐ、保護カバーを設け、本体と保護カバーの間から被ふるい物を落下させること。
【請求項３】
かご状本体を弾性体で支持し、該かご状本体を揺動可能にしたこと。
【発明の詳細な説明】
【技術分野】
【０００１】
本発明はふるい目を持つかご状の本体から成り立ち、ショベル用アタッチメントとして働くふるい機に関するものである。
【背景技術】
【０００２】
ショベル用アタッチメントとしてのふるい装置は従来から使用されているが従来のふるいに存しない構成を加えたものは見当らない。単にふるい機能を持つに過ぎない。
【発明の開示】
【発明が解決しようとする課題】
【０００３】
本発明の課題は、在来の所謂ふるい装置に比べ一層効果的にふるい作業を続行できる着想を加えた新規なふるい機を提供することにある。
【課題を解決するための手段】
【０００４】
本発明の手段は、
（１）ふるい目を持つかご状本体の内部に１枚乃至複数枚の羽根を回転可能に設けたこと。
（２）ふるい目を持つかご状本体の外側に外部からの損傷を防ぐ、保護カバーを設け、本体と保護カバーの間から被ふるい物を落下させること。
（３）かご状本体を弾性体で支持し、該かご状本体を揺動可能にしたこと。
【発明の効果】
【０００５】
本発明によれば、かご状本体の軸がモータにより回転可能な羽根の作用で本体内に取り込まれた被ふるい物が回転し外側及び下部に押し出される。網または網目によって外部にふるい落とされる。又保護カバーを施したものはふるい物はかご状本体と保護カバーによりふるい落とされる。更に弾性体で支持したものは本体と羽根の間に被ふるい物が噛み込んだ場合、弾性体により揺動し、噛み込みは解除し、本体が振動することでふるい作業は促進される。
【発明を実施するための最良の形態】
【０００６】
図１、図２に示す第１の実施形態において、１はかご状本体で穴又は網２で囲まれ、内部に回転軸３を立設し、羽根４，４を支持する。本体１の外部に回転軸３を突出させてモータ５を固定する。
【０００７】
図３、図４の第２の実施形態は本体１に保護カバー７を設けたものでふるい物はかご状本体１と保護カバー７の隙間を経てふるい落とされる。
【０００８】
図５、図６の第３実施態様は本体１を弾性体９によって支持したものを示し、かご状本体１と羽根４の間に被ふるい物１３が噛み込んだ時に、本体１が弾性体で揺動し、噛み込みは解除され本体１が揺動することでふるい作業は効率的に行われる。尚モータの取付けは軸３に直接取付けるほかスプロケット装置１１を介して本体１に取付けたモータ５に連絡させても良い。図中１２はブラケットである。
【図面の簡単な説明】
【０００９】
【図１】第１実施態様の縦断側面図。
【図２】横断平面図。
【図３】第２実施態様の縦断側面図。
【図４】第３実施態様の縦断側面図。
【図５】第４実施態様の縦断側面図。
【図６】他の例を示す縦断側面図。
【符号の説明】
【００１０】
１      かご状本体
２      穴，網
３      回転軸
４      羽根
５      モータ
７      保護カバー
９      弾性体
１０    排出空間
１１    スプロケット装置
１２    ブラケット
１３    被ふるい物
【図１】
2005246124.tif 000002
【図２】
2005246124.tif 000003
【図３】
2005246124.tif 000004
【図４】
2005246124.tif 000005
【図５】
2005246124.tif 000006
【図６】
2005246124.tif 000007
【手続補正書】
【提出日】平成16年4月5日(2004.4.5)
【手続補正１】
【補正対象書類名】特許請求の範囲
【補正対象項目名】全文
【補正方法】変更
【補正の内容】
【特許請求の範囲】
【請求項１】
ふるい目を持つかご状本体の内部に１枚乃至複数枚の羽根を回転可能に設けたこと。
【請求項２】
ふるい目を持つかご状本体の外側に外部からの損傷を防ぐ、保護カバーを設け、本体と保護カバーの間から被ふるい物を落下させること。
【請求項３】
かご状本体を弾性体で支持し、該かご状本体を揺動可能にしたこと。
【手続補正２】
【補正対象書類名】明細書
【補正対象項目名】全文
【補正方法】変更
【補正の内容】
【発明の詳細な説明】
【技術分野】
【０００１】
本発明はふるい目を持つかご状の本体から成り立ち、ショベル用アタッチメントとして働くふるい機に関するものである。
【背景技術】
【０００２】
ショベル用アタッチメントとしてのふるい装置は従来から使用されているが、従来のふるいに存しない構成を加えたものは見当らない。単にふるい機能を持つに過ぎない。
【発明の開示】
【発明が解決しようとする課題】
【０００３】
本発明の課題は、在来の所謂ふるい装置に比べ一層効果的にふるい作業を続行できる着想を加えた新規なふるい機を提供することにある。
【課題を解決するための手段】
【０００４】
本発明の手段は、
（１）ふるい目を持つかご状本体の内部に１枚乃至複数枚の羽根を回転可能に設けたこと。
（２）ふるい目を持つかご状本体の外側に外部からの損傷を防ぐ、保護カバーを設け、本体と保護カバーの間から被ふるい物を落下させること。
（３）かご状本体を弾性体で支持し、該かご状本体を揺動可能にしたこと。
【発明の効果】
【０００５】
本発明によれば、かご状本体の軸がモータにより回転可能な羽根の作用で本体内に取り込まれた被ふるい物が回転し外側及び下部に押し出される。網または網目によって外部にふるい落とされる。即ち、在来のふるい手段に比べ実用上の利点は増す。又保護カバーを施したものはふるい物はかご状本体と保護カバーによりふるい落とされる。更に弾性体で支持したものは本体と羽根の間に被ふるい物が噛み込んだ場合、弾性体により揺動し、噛み込みは解除し、本体が振動することでふるい作業は促進される。
【発明を実施するための最良の形態】
【０００６】
図１、図２に示す第１の実施形態において、１はかご状本体で穴又は網２で囲まれ、内部に回転軸３を立設し、羽根４，４を支持する。本体１の外部に回転軸３を突出させてモータ５を固定する。
【０００７】
図３の第２の実施形態は本体１の外周に間隔を存して保護カバー７を設けたもので、ふるい物１３はかご状本体１と保護カバー７の隙間２０を経てふるい落とされるようにしてあり、その他の構造は前記第１実施態様記載のものと同様であり、３は回転軸、４は羽根、５はモータを示す。
【０００８】
次に図４、図５の第３実施態様は本体１を弾性体９によって支持したものを示し、かご状本体１と羽根４の間に被ふるい物が噛み込んだ時に、本体１が弾性体９で揺動し、図６の第４例は噛み込みは解除され本体１が揺動することでふるい作業は効率的に行われる。尚モータの取付けは軸３に直接取付けるほか、図７の第５例ではスプロケット装置１１を介して本体１に取付けたモータ５に連絡させてある。図中１０は排出空間、１２はブラケットである。
【図面の簡単な説明】
【０００９】
【図１】第１実施態様の縦断側面図。
【図２】図１の横断平面図。
【図３】第２実施態様の縦断側面図。
【図４】第３実施態様の縦断側面図。
【図５】同上の下側から見た平面図。
【図６】第４実施態様の縦断側面図。
【図７】第５実施態様を示す縦断側面図。
【符号の説明】
【００１０】
１      かご状本体
２      穴、網
３      回転軸
４      羽根
５      モータ
７      保護カバー
９      弾性体
１０    排出空間
１１    スプロケット装置
１２    ブラケット
１３    被ふるい物
【手続補正３】
【補正対象書類名】図面
【補正対象項目名】全図
【補正方法】変更
【補正の内容】
【図１】
2005246124.tif 000008
【図２】
2005246124.tif 000009
【図３】
2005246124.tif 000010
【図４】
2005246124.tif 000011
【図５】
2005246124.tif 000012
【図６】
2005246124.tif 000013
【図７】
2005246124.tif 000014